(57)【要約】    【課題】設置面積を小さく保ちつつ、性能の良い空気清浄機を提供すること。    【解決手段】ハウジング２には、上下段に分けられた上区画室１２および下区画室１３が備えられている。上区画室１２には、上モータ１７、ファン１８、細塵フィルタ１４および脱臭フィルタ１５を含む上構成ユニット２５が備えられている。下区画室１３には、下モータ２２、ファン２３、粗ゴミフィルタ１９および花粉専用フィルタ２０を含む下構成ユニット２６が備えられている。よって、上構成ユニット２５および下構成ユニット２６が上下２段に配置されているので、空気清浄機１の奥行きが大きくなるのを防ぐことができ、設置面積を小さく保つことができる。また、構成ユニットを２つ備えているので、空気をより多く吸い込んで浄化することができ、空気清浄機１の性能を向上できる。【選択図】            図２
2006167614.tif 000002
【特許請求の範囲】
【請求項１】
モータによりファンを回転させて空気を吸い込み、吸い込んだ空気をフィルタを通すことにより浄化して、排気口から排気する空気清浄機において、
上記モータ、ファンおよびフィルタを含む構成ユニットが２つ備えられ、それらが上下２段に配置されていることを特徴とする空気清浄機。
【請求項２】
上下２段に配置された２つの構成ユニットは、単一のケースに収容されていることを特徴とする請求項１に記載の空気清浄機。
【請求項３】
上記ケースには、上段の構成ユニットのための排気口および下段の構成ユニットのための排気口が、それぞれ、上下に分散して配置されていることを特徴とする請求項２に記載の空気清浄機。
【請求項４】
上記ケースには、上段の構成ユニットのための吸気口および排気口ならびに下段の構成ユニットのための吸気口および排気口が、それぞれ上下に分散して配置されていることを特徴とする請求項２に記載の空気清浄機。
【請求項５】
上記ケースには、上段の構成ユニットのための排気口および下段の構成ユニットのための排気口がそれぞれ左右に分散して配置されていることを特徴とする請求項２〜４のいずれかに記載の空気清浄機。
【請求項６】
上記ケースの左右両側に、それぞれ、空気の汚れ具合を検知するための汚れ検知センサが配置され、当該汚れ検知センサの検知信号に応答して、上下段の構成ユニットが選択的に駆動されることを特徴とする請求項５に記載の空気清浄機。
【請求項７】
汚れの検知信号を出力する汚れ検知センサが配置された側の排気口から浄化された空気が排気されるように、上下段の構成ユニットが選択的に駆動されることを特徴とする請求項６に記載の空気清浄機。
【請求項８】
空気中の塵埃を検知する塵埃センサと、
空気中のガスを検知するガスセンサと、が備えられ、
上記塵埃センサおよび上記ガスセンサの検知信号に応じて、上下段の構成ユニットが選択的に駆動されることを特徴とする請求項３または４に記載の空気清浄機。
【請求項９】
上記塵埃センサの検知信号に応じて、下側の排気口から空気が排気され、上記ガスセンサの検知信号に応じて、上側の排気口から空気が排気されるように、上下段の構成ユニットが選択的に駆動されることを特徴とする請求項８に記載の空気清浄機。
【請求項１０】
空気中の塵埃の粒子サイズを検知する塵埃センサを有し、検知された粒子サイズに応じて、上下段の構成ユニットが選択的に駆動されることを特徴とする請求項３または４に記載の空気清浄機。
【請求項１１】
検知された粒子サイズが大きいときは、下側の排気口から空気が排気され、かつ、検知された粒子サイズが小さいときは、上側の排気口から空気が排気されるように上下段の構成ユニットが選択的に駆動されることを特徴とする請求項１０に記載の空気清浄機。
【請求項１２】
室内を移動する物を検知する移動物検知センサを有し、当該移動物検知センサの検知具合に応じて、上下段の構成ユニットを選択的に駆動することを特徴とする請求項４に記載の空気清浄機。
【請求項１３】
上記移動物検知センサが移動が最も多いことを検知したことにより上下段の構成ユニットを駆動し、移動が多いことを検知したことにより、下段の構成ユニットのみ駆動し、移動が少ないことを検知したことにより、上段の構成ユニットのみを駆動することを特徴とする請求項１２に記載の空気清浄機。
【請求項１４】
温度センサおよび湿度センサを有し、相対湿度が低いときは上段の構成ユニットを駆動し、相対湿度が高いときは下段の構成ユニットを駆動することを特徴とする請求項４に記載の空気清浄機。
【請求項１５】
上段に配置された構成ユニットのフィルタには、相対的に高性能のフィルタが用いられ、下段に配置された構成ユニットのフィルタには、相対的に低性能のフィルタが用いられていることを特徴とする請求項１〜１４のいずれかに記載の空気清浄機。
【請求項１６】
上段の構成ユニットと下段の構成ユニットとの間に、操作表示部が備えられていることを特徴とする請求項１〜１５のいずれかに記載の空気清浄機。
【発明の詳細な説明】
【技術分野】
【０００１】
この発明は、空気清浄機に関する。
【背景技術】
【０００２】
従来から、空気中を浮遊する塵埃等を捕獲して空気を浄化する装置として、空気清浄機が広く利用されている。空気清浄機は、通常、モータ、ファンおよびフィルタを備えており、モータによりファンを回転させて空気を内部に吸い込み、吸い込んだ空気をフィルタを通過させることにより、塵埃等をフィルタで捕獲して空気を浄化する。このような空気清浄機が特許文献１に記載されている。
【０００３】
この空気清浄機は、集塵フィルタおよび脱臭フィルタを備えており、空気をこれらのフィルタを通過させることで、空気中に含まれる塵埃および臭気が除去される
【特許文献１】特開２００２−７９０１８号公報
【発明の開示】
【発明が解決しようとする課題】
【０００４】
しかしながら、上記特許文献１に記載の空気清浄機では、集塵フィルタおよび脱臭フィルタを空気清浄機の厚さ方向に重ねるように配置しているため、空気清浄機の奥行きが大きくなり、設置面積が大きくなってしまう（大きな配置場所が必要となる）といった問題がある。
また、空気清浄機の性能を向上させるために、さらに、ファンやフィルタを大きくすることが考えられるが、この場合も同様に、空気清浄機の設置面積が大きくなってしまうといった問題がある。
【０００５】
この発明は、かかる背景のもとになされたもので、設置面積を小さく保ちつつ、性能の良い空気清浄機を提供することを目的とする。
また、この発明は、効率的に空気を浄化することのできる空気清浄機を提供することを他の目的とする。
【課題を解決するための手段】
【０００６】
上記目的を達成するための請求項１に記載の発明は、モータ（１７，２２）によりファン（１８，２３）を回転させて空気を吸い込み、吸い込んだ空気をフィルタ（１４，１５，１９，２０）を通すことにより浄化して、排気口（６，７）から排気する空気清浄機（１）において、上記モータ、ファンおよびフィルタを含む構成ユニット（２５，２６）が２つ備えられ、それらが上下２段に配置されていることを特徴とする空気清浄機である。
【０００７】
なお、括弧内の英数字は、後述の実施形態における対応構成要素などを表す。以下、この項において同じ。
この構成によれば、構成ユニットが上下２段に配置されているので、空気清浄機の奥行きが大きくなるのを防ぐことができ、設置面積を小さく保つことができる。よって、置き場所の自由度が高いポータブル型の空気清浄機となる。また、構成ユニットを２つ備えているので、空気をより多く吸い込んで浄化することができ、空気清浄機の性能を向上できる。
【０００８】
請求項２に記載の発明は、上下２段に配置された２つの構成ユニット（２５，２６）は、単一のケース（２）に収容されていることを特徴とする請求項１に記載の空気清浄機（１）である。
この構成によれば、２つの構成ユニットは単一のケースに収容されているので、部品点数を少なくして、コストを削減することができる。
【０００９】
請求項３に記載の発明は、上記ケース（２）には、上段の構成ユニット（２５）のための排気口（６）および下段の構成ユニット（２６）のための排気口（７）が、それぞれ、上下に分散して配置されていることを特徴とする請求項２に記載の空気清浄機（１）である。
この構成によれば、排気口が上下に分散されているので、浄化した後の空気を上下に分散して排気することができる。たとえば、上方の空気が汚れている場合に、浄化後の空気を上方に排気し、下方の空気が汚れている場合に、浄化後の空気を下方に排気すれば、効率的に空気を浄化することができる。
【００１０】
請求項４に記載の発明は、上記ケース（２）には、上段の構成ユニット（２５）のための吸気口（８）および排気口（６）ならびに下段の構成ユニット（２６）のための吸気口（９）および排気口（７）が、それぞれ上下に分散して配置されていることを特徴とする請求項２に記載の空気清浄機（１）である。
この構成によれば、吸気口および排気口が上下に分散されているので、上下に分散した吸気口によって空気を上下に分散して吸い込むことができる。そして、上下に分散した排気口によって浄化後の空気を上下に分散して排気することができる。たとえば、上方の空気が汚れている場合に、上方の空気を吸い込んで浄化して、その浄化後の空気を上方に排気し、下方の空気が汚れている場合に、下方の空気を吸い込んで浄化して、その浄化後の空気を下方に排気すれば、効率的に空気を浄化することができる。
【００１１】
請求項５に記載の発明は、上記ケース（２）には、上段の構成ユニット（２５）のための排気口（６）および下段の構成ユニット（２６）のための排気口（７）がそれぞれ左右に分散して配置されていることを特徴とする請求項２〜４のいずれかに記載の空気清浄機（１）である。
この構成によれば、排気口が左右に分散されているので、浄化した後の空気を左右に分散して排気することができる。たとえば、右方の空気が汚れている場合に、浄化後の空気を右方に排気し、左方の空気が汚れている場合に、浄化後の空気を左方に排気すれば、効率的に空気を浄化することができる。
【００１２】
請求項６に記載の発明は、上記ケース（２）の左右両側に、それぞれ、空気の汚れ具合を検知するための汚れ検知センサ（１０，１１）が配置され、当該汚れ検知センサの検知信号に応答して、上下段の構成ユニット（２５，２６）が選択的に駆動されることを特徴とする請求項５に記載の空気清浄機（１）である。
この構成によれば、左右に配置された汚れセンサの検知信号に応答して構成ユニットが選択的に駆動されるので、効率的に空気を浄化することができる。
【００１３】
たとえば、請求項７に記載の発明のように、汚れの検知信号を出力する汚れ検知センサ（１０，１１）が配置された側の排気口（６，７）から浄化された空気が排気されるように、上下段の構成ユニット（２５，２６）が選択的に駆動されるものであれば、汚れている側に浄化後の空気が排気されることになるので、効率的に空気を浄化することができる。
【００１４】
請求項８に記載の発明は、空気中の塵埃を検知する塵埃センサ（２９）と、空気中のガスを検知するガスセンサ（２８）と、が備えられ、上記塵埃センサおよび上記ガスセンサの検知信号に応じて、上下段の構成ユニット（２５，２６）が選択的に駆動されることを特徴とする請求項３または４に記載の空気清浄機（２７）である。
この構成によれば、塵埃センサおよびガスセンサの検知信号に応じて構成ユニットが選択的に駆動されるので、効率的に空気を浄化することができる。
【００１５】
たとえば、請求項９に記載の発明のように、上記塵埃センサ（２９）の検知信号に応じて、下側の排気口（７）から空気が排気され、上記ガスセンサ（２８）の検知信号に応じて、上側の排気口（６）から空気が排気されるように、上下段の構成ユニット（２５，２６）が選択的に駆動されるものであれば、効率的に空気が浄化される。すなわち、塵埃は、床に積もっていたものが舞い上がることが多く、ガスは空気中を浮遊することが多いため、塵埃センサの検知信号に応じて、浄化後の空気が下側から排気されれば、塵埃がより多く存在する領域に空気が排気されることになる。また、ガスセンサの検知信号に応じて、浄化後の空気が上側から排気されれば、ガスがより多く存在する領域に空気が排気されることになる。つまり、浄化すべき領域に浄化後の空気が排気されるので、効率的に空気が浄化される。
【００１６】
請求項１０に記載の発明は、空気中の塵埃の粒子サイズを検知する塵埃センサ（３１）を有し、検知された粒子サイズに応じて、上下段の構成ユニットが選択的に駆動されることを特徴とする請求項３または４に記載の空気清浄機（３０）である。
この構成によれば、塵埃センサが検知した粒子サイズに応じて構成ユニットが選択的に駆動されるので、効率的に空気を浄化することができる。
【００１７】
たとえば、請求項１１に記載の発明のように、検知された粒子サイズが大きいときは、下側の排気口（７）から空気が排気され、かつ、検知された粒子サイズが小さいときは、上側の排気口（６）から空気が排気されるように上下段の構成ユニット（２５，２６）が選択的に駆動されるものであれば、効率的に空気が浄化される。すなわち、粒子サイズの大きい塵埃は、床に積もっていたものが舞い上がることが多く、粒子サイズの小さい塵埃は空気中を浮遊することが多いため、検知された粒子サイズが大きいときに、浄化後の空気が下側から排気されれば、塵埃がより多く存在する領域に空気が排気されることになる。また、検知された粒子サイズが小さいときに、浄化後の空気が上側から排気されれば、塵埃がより多く存在する領域に空気が排気されることになる。つまり、浄化すべき領域に浄化後の空気が排気されるので、効率的に空気が浄化される。
【００１８】
請求項１２に記載の発明は、室内を移動する物を検知する移動物検知センサ（３３）を有し、当該移動物検知センサの検知具合に応じて、上下段の構成ユニットを選択的に駆動することを特徴とする請求項４に記載の空気清浄機（３２）である。
この構成によれば、移動物検知センサの検知具合に応じて構成ユニットが選択的に駆動されるので、効率的に空気を浄化することができる。
【００１９】
たとえば、請求項１３に記載の発明のように、上記移動物検知センサ（３３）が移動が最も多いことを検知したことにより上下段の構成ユニット（２５，２６）を駆動し、移動が多いことを検知したことにより、下段の構成ユニット（２６）のみ駆動し、移動が少ないことを検知したことにより、上段の構成ユニット（２５）のみを駆動するものであれば、効率的に空気が浄化される。すなわち、物の移動が最も多い場合には、床に積もっていた大きい塵埃が舞い上がり、また、小さい塵埃が空気中を浮遊する。よって、上下段の構成ユニットを駆動することで、浄化すべき領域の空気を吸い込み、その領域に浄化後の空気を排気することができる。また、物の移動が多い場合には、床に積もっていた大きい塵埃が舞い上がるので、下段の構成ユニットを駆動すれば、浄化すべき領域の空気を吸い込み、その領域に浄化後の空気を排気することができる。また、物の移動が少ない場合には、床から舞い上がる大きい塵埃が少ないため、上段の構成ユニットを駆動することで、小さい塵埃が浮遊している領域の空気を吸い込み、その領域に浄化後の空気を排気することができる。
【００２０】
請求項１４に記載の発明は、温度センサおよび湿度センサ（３５）を有し、相対湿度が低いときは上段の構成ユニット（２５）を駆動し、相対湿度が高いときは下段の構成ユニット（２６）を駆動することを特徴とする請求項４に記載の空気清浄機（３４）である。
この構成によれば、相対湿度に応じて構成ユニットが選択的に駆動されるので、効率的に空気を浄化することができる。すなわち、相対湿度が低いときには、空気が乾燥しているため浮遊している塵埃が多い。よって、上段の構成ユニットを駆動することで、塵埃が多く存在する領域の空気を吸い込み、その領域に浄化後の空気を排気することができる。また、相対湿度が高いときには、浮遊している塵埃が少なく、床から舞い上がる塵埃が多いため、下段の構成ユニットを駆動することで、塵埃が多く存在する領域の空気を吸い込み、その領域に浄化後の空気を排気することができる。
【００２１】
請求項１５に記載の発明は、上段に配置された構成ユニット（２５）のフィルタ（１４）には、相対的に高性能のフィルタが用いられ、下段に配置された構成ユニット（２６）のフィルタ（１９）には、相対的に低性能のフィルタが用いられていることを特徴とする請求項１〜１４のいずれかに記載の空気清浄機である。
この構成によれば、上段に高性能のフィルタが用いられ、下段に低性能のフィルタが用いられているので、効率的に空気を浄化することができる。すなわち、小さい塵埃等は、空気中を浮遊し、大きい塵埃等は床から舞い上がることが多いため、小さい塵埃等を高性能フィルタで捕獲し、大きい塵埃等を低性能のフィルタで捕獲することができる。よって、効率的にフィルタを使い分けることができる。また、高性能フィルタを上下段の両方の構成ユニットに用いる場合に比べて、高性能フィルタを少なくすることができ、コストを削減することができる。
【００２２】
請求項１６に記載の発明は、上段の構成ユニット（２５）と下段の構成ユニット（２６）との間に、操作表示部（５）が備えられていることを特徴とする請求項１〜１５のいずれかに記載の空気清浄機である。
この構成によれば、操作表示部が上方に配置されている場合に比べて、操作表示部の操作時に空気清浄機を安定した状態に保つことができる。また、操作表示部が下方に配置されている場合に比べて、表示を見やすくすることができ、操作をしやすくすることができる。さらに、操作表示部から上下段の構成ユニットへの距離が短くなるので、空気清浄機内で用いられる配線を短くすることができ、コストを削減することができる。
【発明を実施するための最良の形態】
【００２３】
以下では、この発明の実施の形態を、添付図面を参照して詳細に説明する。
図１は、この発明の一実施形態にかかる空気清浄機１の構成を示す正面図である。また、図２は、図１に示す空気清浄機１を切断線Ａ−Ａで切断した状態を示す図である。
空気清浄機１は、たとえば、室内に設置されて、機外の空気を取り込み、その空気を清浄する処理を施して機外に排出することにより、室内の空気清浄を行うためのものである。空気清浄機１の外形は、左右方向の長さに比べて前後方向の長さが短い薄型のハウジング２により区画されている。ハウジング２の前面には、ハウジング２の前面のほぼ上半分を覆う略矩形の上前面板３と、ハウジング２の前面のほぼ下半分を覆う略矩形の下前面板４とが取付けられている。また、ハウジング２の前面であって上前面板３と下前面板４との間には操作表示部としての操作パネル５が取り付けられている。また、正面側からみてハウジング２の上部の右側の側面には、上排気口６が形成されており、正面側からみてハウジング２の下部の左側の側面には、下排気口７が形成されている。
【００２４】
上前面板３には、上前面板３の上部から下部にかけて延びる細長の上吸気口８が複数形成されている。また、上前面板３の内側には、第一汚れ検知センサ１０が備えられている。
第一汚れ検知センサ１０は、空気中の汚れ成分を検知するためのセンサであり、正面側からみて上前面板３の上部内側の右側に備えられている。
【００２５】
下前面板４には、下前面板４の上部から下部にかけて延びる細長の下吸気口９が複数形成されている。また、下前面板４の内側には、第二汚れ検知センサ１１が備えられている。
第二汚れ検知センサ１１は、空気中の汚れ成分を検知するためのセンサであり、正面側からみて下前面板４の下部内側の左側に備えられている。
【００２６】
上排気口６は、後述するように、上吸気口８から吸い込まれた空気を浄化した後、その空気を排気するためのものであり、上吸気口８から吸い込まれた空気は、図１において破線で示す渦巻状の上ファンケーシング４０内を移動して、上排気口６から排気される。
下排気口７は、後述するように、下吸気口９から吸い込まれた空気を浄化した後、その空気を排気するためのものであり、下吸気口９から吸い込まれた空気は、図１において破線で示す渦巻状の下ファンケーシング５０内を移動して、下排気口７から排気される。
【００２７】
ハウジング２には、ハウジング２内のほぼ上半分を占めるように区画された上区画室１２と、ハウジング２内のほぼ下半分を占めるように区画された下区画室１３とが形成されている。
上区画室１２は、その前方側が上前面板３により区画されている。また、上区画室１２には、上前面板３の所定寸法後方に、細塵フィルタ１４および脱臭フィルタ１５が備えられている。
【００２８】
細塵フィルタ１４は、上前面板３に形成された上吸気口８を覆うことのできる大きさであり、微細な塵埃を捕獲することのできる高性能のフィルタで構成されている。
脱臭フィルタ１５は、細塵フィルタ１４とほぼ同程度の大きさであり、臭気を吸着することができる活性炭や、ガス成分を捕獲することのできるフィルタで構成されている。そして、脱臭フィルタ１５は、細塵フィルタ１４とハウジング２の厚さ方向に重なるように配置されている。
【００２９】
また、上区画室１２には、上ファンケーシング４０の一部を構成する係止体１６が備えられており、この係止体１６に上モータ１７が取り付けられている。また、上モータ１７の回転軸１７ａには、ファン１８が取り付けられている。
ファン１８は、いわゆるシロッコファンであって、ファン１８が回転されると、前方中央側から空気が吸い込まれて、その空気がファン１８の径方向に放出されるようになっている。したがって、ファン１８が回転されると、図２において矢印Ｂで示すように、機外の空気が上吸気口８から吸い込まれて細塵フィルタ１４および脱臭フィルタ１５を通過し、ファン１８の径方向に流れる。また、上ファンケーシング４０は上排気口６へと続いており、ファン１８の径方向に流れた空気は、図１において矢印Ｃで示すように、上排気口６から機外に排気される。
【００３０】
このように、ハウジング２内の上段には、上モータ１７、ファン１８、細塵フィルタ１４および脱臭フィルタ１５を含む上構成ユニット２５が備えられている。
下区画室１３は、その前方側が下前面板４により区画されている。また、下区画室１３には、下前面板４の所定寸法後方に、粗ゴミフィルタ１９および花粉専用フィルタ２０が備えられている。
【００３１】
粗ゴミフィルタ１９は、下前面板４に形成された下吸気口９を覆うことのできる大きさであり、大きい塵埃を捕獲することのできるフィルタで構成されている。すなわち、粗ゴミフィルタ１９は、細塵フィルタ１４に比べて間隙の多いフィルタであり、相対的に細塵フィルタ１４が高性能のフィルタであり、粗ゴミフィルタ１９が低性能のフィルタである。
【００３２】
花粉専用フィルタ２０は、粗ゴミフィルタ１９とほぼ同程度の大きさであり、花粉を捕獲することのできるフィルタで構成されている。そして、花粉専用フィルタ２０は、粗ゴミフィルタ１９とハウジング２の厚さ方向に重なるように配置されている。
また、下区画室１３には、下ファンケーシング５０の一部を構成する係止体２１が備えられており、この係止体２１に下モータ２２が取り付けられている。また、下モータ２２の回転軸２２ａには、ファン２３が取り付けられている。
【００３３】
ファン２３は、いわゆるシロッコファンであって、ファン２３が回転されると、前方中央側から空気が吸い込まれて、その空気がファン２３の径方向に放出されるようになっている。したがって、ファン２３が回転されると、図２において矢印Ｄで示すように、機外の空気が下吸気口９から吸い込まれて粗ゴミフィルタ１９および花粉専用フィルタ２０を通過し、ファン２３の径方向に流れる。また下ファンケーシング５０は下排気口７へと続いており、ファン２３の径方向に流れた空気は、図１において矢印Ｅで示すように、下排気口７から機外に排気される。
【００３４】
このように、ハウジング２内の下段には、下モータ２２、ファン２３、粗ゴミフィルタ１９および花粉専用フィルタ２０を含む下構成ユニット２６が備えられている。
図３は、空気清浄機１の要部の電気的構成を示すブロック図である。
空気清浄機１には、空気清浄機１の各部を制御する制御部２４が備えられている。制御部２４は、マイクロコンピュータ、ＲＯＭおよびＲＡＭ等を備えている。また、制御部２４は、操作パネル５、第一汚れ検知センサ１０および第二汚れ検知センサ１１からの信号が入力されるようにされており、これらの信号に応じて、操作パネル５の表示態様、上モータ１７および下モータ２２の駆動を制御する。
【００３５】
そして、ユーザにより、操作パネル５が操作されて、空気清浄機１の電源がオンされると、第一汚れ検知センサ１０および第二汚れ検知センサ１１が空気中の汚れ成分の検知を開始する。
第一汚れ検知センサ１０が空気中の汚れ成分を検知すると、上モータ１７が駆動されてファン１８が回転される。そして、上吸気口８を介して機外の空気が上区画室１２に吸い込まれる。このとき、空気は細塵フィルタ１４および脱臭フィルタ１５を通過して浄化される。そして、浄化された空気は、上排気口６から排気される。
【００３６】
また、第二汚れ検知センサ１１が空気中の汚れ成分を検知すると、下モータ２２が駆動されてファン２３が回転される。そして、下吸気口９を介して機外の空気が下区画室１３に吸い込まれる。このとき、空気は粗ゴミフィルタ１９および花粉専用フィルタ２０を通過して浄化される。そして、浄化された空気は、下排気口７から排気される。
このように、上構成ユニット２５および下構成ユニット２６が上下２段に配置されているので、空気清浄機１の奥行きが大きくなるのを防ぐことができ、設置面積を小さく保つことができる。よって、置き場所の自由度が高いポータブル型の装置となる。また、構成ユニットを２つ備えているので、空気をより多く吸い込んで浄化することができ、空気清浄機１の性能を向上できる。
【００３７】
また、上構成ユニット２５および下構成ユニット２６は単一のケースであるハウジング２に収容されているので、部品点数を少なくして、コストを削減することができる。
また、上吸気口８および上排気口６が上方に配置され、下吸気口９および下排気口７が下方に配置されているので、空気を上下に分散して吸い込むことができる。そして、浄化後の空気を上下に分散して排気することができる。
【００３８】
また、上排気口６および下排気口７が左右に分散されているので、浄化した後の空気を左右に分散して排気することができる。
また、正面側からみて右側にある第一汚れ検知センサ１０が汚れ成分を検知した場合には、ハウジング２上部の右側側面にある上排気口６から浄化後の空気が排気され、正面側からみて左側にある第二汚れ検知センサ１１が汚れ成分を検知した場合には、ハウジング２下部の左側側面にある下排気口７から浄化された空気が排気されるため、汚れている側に浄化後の空気が排気されることになるので、効率的に空気を浄化することができる。
【００３９】
また、上構成ユニット２５に相対的に高性能のフィルタである細塵フィルタ１４が用いられ、下構成ユニット２６に相対的に低性能のフィルタである粗ゴミフィルタ１９が用いられているので、効率的に空気を浄化することができる。すなわち、小さい塵埃等は、空気中を浮遊し、大きい塵埃等は床から舞い上がることが多いため、小さい塵埃等を細塵フィルタ１４で捕獲し、大きい塵埃等を粗ゴミフィルタ１９で捕獲することができる。よって、効率的にフィルタを使い分けることができる。また、細塵フィルタ１４を上構成ユニット２５および下構成ユニット２６の両方に用いる場合に比べて、細塵フィルタ１４を少なくすることができ、コストを削減することができる。
【００４０】
また、操作パネル５は、上構成ユニット２５と下構成ユニット２６との間に配置されているので、操作パネル５が上方に配置されている場合に比べて、操作パネル５の操作時に空気清浄機１を安定した状態に保つことができる。さらに、操作パネル５が下方に配置されている場合に比べて、表示を見やすくすることができ、また、操作をしやすくすることができる。さらに、操作パネル５から上構成ユニット２５および下構成ユニット２６までの距離が短くなるので、空気清浄機１内で用いられる配線を短くすることができ、コストを削減することができる。
【００４１】
なお、この実施形態では、上排気口６は、浄化後の空気が正面側からみて右側に排気され、下排気口７は、浄化後の空気が正面側からみて左側に排気される構成としたが、その逆でもよく、また、上排気口６が上前面板３の上方に開放するように形成され、下排気口７が下前面板４の下方に開放するように形成され、浄化後の空気が、上排気口６から上方に排気され、下排気口７から下方に排気されるものであってもよい。
【００４２】
また、上モータ１７および下モータ２２は、第一汚れ検知センサ１０および第二汚れ検知センサ１１の検知具合に応じてその回転数が制御されるもの、すなわち、汚れ程度が大きい程回転数を高くするものであってもよい。
たとえば、第一汚れ検知センサ１０による汚れ検知レベルが、第二汚れ検知センサ１１による汚れ検知レベルよりも大きいときは、上モータ１７の回転数の方を下モータ２２の回転数よりも大きくして、上構成ユニット２５による空気浄化を下構成ユニット２６による空気浄化よりも強くしてもよい。
【００４３】
また、上モータ１７および下モータ２２は、第一汚れ検知センサ１０または第二汚れ検知センサ１１の検知に応じてその回転数の割合が制御されるものであってもよい。
たとえば、第一汚れ検知センサ１０が汚れを検知したことに応じて、上モータ１７および下モータ２２を駆動し、その際に、上モータ１７の回転数に比べて下モータ２２の回転数を少なくするものであってもよい。また、第二汚れ検知センサ１１が汚れを検知したことに応じて、上モータ１７および下モータ２２を駆動し、その際に、下モータ２２の回転数に比べて上モータ１７の回転数を少なくするものであってもよい。
【００４４】
また、第一汚れ検知センサ１０および第二汚れ検知センサ１１は、ハウジング２の左右に分散して配置すればよく、必ずしも上下に分散していなくてもよい。
図４は、この発明の他の実施形態にかかる空気清浄機２７の構成を示す正面図である。なお、上述の構成と同様のものについては、同一の参照符号を付することにより説明を省略する。
【００４５】
この実施形態では、第一汚れ検知センサ１０および第二汚れ検知センサ１１に換えて、上前面板３の上部左側の内側にガスセンサ２８が備えられ、下前面板４の下部右側の内側に塵埃センサ２９が備えられている。
ガスセンサ２８は、空気中のガス成分を検知するためのセンサである。
塵埃センサ２９は、空気中を浮遊する塵埃を検知するためのセンサである。
【００４６】
そして、ガスセンサ２８が空気中のガス成分を検知すると、上モータ１７が駆動されてファン１８が回転され、上吸気口８を介して機外の空気が上区画室１２に吸い込まれる。このとき、空気は細塵フィルタ１４および脱臭フィルタ１５を通過して浄化される。そして、浄化された空気は、上排気口６から排気される。
また、塵埃センサ２９が空気中の塵埃を検知すると、下モータ２２が駆動されてファン２３が回転され、下吸気口９を介して機外の空気が下区画室１３に吸い込まれる。このとき、空気は粗ゴミフィルタ１９および花粉専用フィルタ２０を通過して浄化される。そして、浄化された空気は、下排気口７から排気される。
【００４７】
このように、塵埃センサ２９が塵埃を検知したことに応じて、下排気口７から空気が排気され、ガスセンサ２８がガス成分を検知したことに応じて、上排気口６から空気が排気されるので、効率的に空気が浄化される。すなわち、塵埃は、床に積もっていたものが舞い上がることが多く、ガス成分は空気中を浮遊することが多いため、塵埃センサ２９の検知信号に応じて、塵埃が多く存在する下側の空気を下吸気口９から吸い込み、浄化後の空気が下側から排気すれば、塵埃がより多く存在する領域に空気を排気することになる。また、ガスセンサ２８の検知信号に応じて、ガス成分が多く存在する上側の空気を上吸気口８から吸い込み、浄化後の空気が上側から排気すれば、ガス成分がより多く存在する領域に空気を排気することになる。つまり、浄化すべき領域に浄化後の空気が排気されるので、効率的に空気が浄化される。
【００４８】
なお、ガスセンサ２８および塵埃センサ２９のそれぞれの検知の程度に応じて、上モータ１７および下モータ２２の回転数の大小が制御されるものであってもよい。
また、ガスセンサ２８または塵埃センサ２９の検知に応じて、上モータ１７および下モータ２２の両方を駆動し、上下のモータでその回転数の割合が制御されるものであってもよい。
【００４９】
たとえば、ガスセンサ２８がガス成分を検知したことに応じて、上モータ１７および下モータ２２を駆動し、その際に、上モータ１７の回転数に比べて下モータ２２の回転数を少なくするものであってもよい。また、塵埃センサ２９が塵埃を検知したことに応じて、上モータ１７および下モータ２２を駆動し、その際に、下モータ２２の回転数に比べて上モータ１７の回転数を少なくするものであってもよい。
【００５０】
また、ガスセンサ２８がガス成分を検知したことに応じて主として上モータ１７が駆動され、塵埃センサ２９が塵埃を検知したことに応じて主として下モータ２２が駆動されればよく、ガスセンサ２８および塵埃センサ２９が配置される場所は上述のものに限られない。
図５は、この発明のさらに他の実施形態にかかる空気清浄機３０の構成を示す正面図である。なお、上述の構成と同様のものについては、同一の参照符号を付することにより説明を省略する。
【００５１】
この実施形態では、第一汚れ検知センサ１０および第二汚れ検知センサ１１に換えて、上前面板３の上部の左側に、大きな粒子の塵埃の量と小さな粒子の塵埃の量とを別々に検知する塵埃センサ３１が備えられている。
そして、塵埃センサ３１により小さな粒子の塵埃が検知されたときは、上モータ１７が駆動されてファン１８が回転され、上吸気口８を介して機外の空気が上区画室１２に吸い込まれる。このとき、空気は細塵フィルタ１４および脱臭フィルタ１５を通過して浄化される。そして、浄化された空気は、上排気口６から排気される。
【００５２】
また、塵埃センサ３１により大きな粒子の塵埃が検知されたときは、下モータ２２が駆動されてファン２３が回転され、下吸気口９を介して機外の空気が下区画室１３に吸い込まれる。このとき、空気は粗ゴミフィルタ１９および花粉専用フィルタ２０を通過して浄化される。そして、浄化された空気は、下排気口７から排気される。
このように、塵埃センサ３１により検知された粒子サイズが大きいときは、下排気口７から空気が排気され、かつ、検知された粒子サイズが小さいときは、上排気口６から空気が排気されるので、効率的に空気が浄化される。すなわち、粒子サイズの大きい塵埃は、床に積もっていたものが舞い上がることが多く、粒子サイズの小さい塵埃は空気中を浮遊することが多いため、検知された粒子サイズが大きいときに、大きな粒子の塵埃が多く存在する下側の空気を下吸気口９より吸い込み、浄化後の空気が下側から排気すれば、塵埃がより多く存在する領域に空気を排気することになる。また、検知された粒子サイズが小さいときに、小さな粒子の塵埃が多く存在する上側の空気を上吸気口８により吸い込み、浄化後の空気が上側から排気すれば、塵埃がより多く存在する領域に空気を排気することになる。つまり、浄化すべき領域に浄化後の空気が排気されるので、効率的に空気が浄化される。
【００５３】
なお、塵埃センサ３１が検知する大きな粒子の塵埃の量と小さな塵埃の量とに応じて、上モータ１７および下モータ２２の回転数の大小が制御されるものであってもよい。
また、塵埃センサ３１が大きな粒子の塵埃を検知したか、または、小さな粒子の塵埃を検知したかに応じて、上モータ１７および下モータ２２の両方を駆動し、上下のモータでその回転数の割合が制御されるものであってもよい。
【００５４】
たとえば、塵埃センサ３１が小さな塵埃を検知したことに応じて、上モータ１７および下モータ２２を駆動し、その際に、上モータ１７の回転数に比べて下モータ２２の回転数を少なくするものであってもよい。また、塵埃センサ３１が大きな塵埃を検知したことに応じて、上モータ１７および下モータ２２を駆動し、その際に、下モータ２２の回転数に比べて上モータ１７の回転数を少なくするものであってもよい。
【００５５】
図６は、この発明のさらに他の実施形態にかかる空気清浄機３２の構成を示す正面図である。なお、上述の構成と同様のものについては、同一の参照符号を付することにより説明を省略する。
この実施形態では、第一汚れ検知センサ１０および第二汚れ検知センサ１１に換えて、上前面板３の上部の左側に人体等の移動を検知する移動物検知センサ３３が備えられている。
【００５６】
移動物検知センサ３３は、室内を移動する物の移動頻度を検知するためのセンサである。
そして、移動物検知センサ３３が物の移動頻度が少ないことを検知したときには、上モータ１７が駆動されてファン１８が回転され、上吸気口８を介して機外の空気が上区画室１２に吸い込まれる。このとき、空気は細塵フィルタ１４および脱臭フィルタ１５を通過して浄化される。そして、浄化された空気は、上排気口６から排気される。
【００５７】
また、移動物検知センサ３３が物の移動頻度が多いことを検知したときには、下モータ２２が駆動されてファン２３が回転され、下吸気口９を介して機外の空気が下区画室１３に吸い込まれる。このとき、空気は粗ゴミフィルタ１９および花粉専用フィルタ２０を通過して浄化される。そして、浄化された空気は、下排気口７から排気される。
また、移動物検知センサ３３が物の移動頻度が最も多いことを検知したときには、上モータ１７および下モータ２２が駆動されて、上吸気口８および下吸気口９から空気が吸い込まれ、浄化後の空気が上排気口６および下排気口７から排気される。
【００５８】
このように、上記移動物検知センサ３３が移動が最も多いことを検知したことにより上モータ１７および下モータ２２を駆動し、移動が多いことを検知したことにより、下モータ２２のみを駆動し、移動が少ないことを検知したことにより、上モータ１７のみを駆動するものであれば、効率的に空気が浄化される。すなわち、物の移動が最も多い場合には、床に積もっていた大きい塵埃が舞い上がり、また、小さい塵埃が空気中を浮遊する。よって、上モータ１７および下モータ２２を駆動することで、浄化すべき領域の空気を吸い込み、その領域に浄化後の空気を排気することができる。また、物の移動が多い場合には、床に積もっていた大きい塵埃が舞い上がるので、下モータ２２を駆動すれば、浄化すべき領域の空気を吸い込み、その領域に浄化後の空気を排気することができる。また、物の移動が少ない場合には、床から舞い上がる大きい塵埃が少ないため、上モータ１７を駆動することで、小さい塵埃が浮遊している領域の空気を吸い込み、その領域に浄化後の空気を排気することができる。
【００５９】
なお、上述の説明においては、物の移頻度に応じて、上モータ１７および下モータ２２を３通りのモードで駆動させているが、各駆動モードの中において、さらに移動頻度に応じて各モータの回転数を制御してもよい。
図７は、この発明のさらに他の実施形態にかかる空気清浄機３４の構成を示す正面図である。なお、上述の構成と同様のものについては、同一の参照符号を付することにより説明を省略する。
【００６０】
この実施形態では、第一汚れ検知センサ１０および第二汚れ検知センサ１１に換えて、上前面板３の上部の左側に温度・湿度センサ３５が備えられている。
温度・湿度センサ３５は、空気中の温度および相対湿度を検知するためのセンサである。
そして、温度・湿度センサ３５が空気中の相対湿度が低いことを検知したときには、上モータ１７が駆動されてファン１８が回転され、上吸気口８を介して機外の空気が上区画室１２に吸い込まれる。このとき、空気は細塵フィルタ１４および脱臭フィルタ１５を通過して浄化される。そして、浄化された空気は、上排気口６から排気される。
【００６１】
また、温度・湿度センサ３５が空気中の相対湿度が高いことを検知したときには、下モータ２２が駆動されてファン２３が回転され、下吸気口９を介して機外の空気が下区画室１３に吸い込まれる。このとき、空気は粗ゴミフィルタ１９および花粉専用フィルタ２０を通過して浄化される。そして、浄化された空気は、下排気口７から排気される。
このように、相対湿度に応じて上モータ１７および下モータ２２が選択的に駆動されるので、効率的に空気を浄化することができる。すなわち、相対湿度が低いときには、空気が乾燥しているため浮遊している塵埃が多い。よって、上モータ１７を駆動することで、塵埃が多く存在する領域の空気を吸い込み、その領域に浄化後の空気を排気することができる。また、相対湿度が高いときには、浮遊している塵埃が少なく、床から舞い上がる塵埃が多いため、下モータ２２を駆動することで、塵埃が多く存在する領域の空気を吸い込み、その領域に浄化後の空気を排気することができる。
【００６２】
なお、温度・湿度センサ３５が検知する相対湿度の程度に応じて上モータ１７および下モータ２２の回転数を制御したり、上モータ１７および下モータ２２が共に回転している状態で、上モータ１７および下モータ２２の回転する割合を制御したりしてもよい。
この発明は、以上説明した実施形態に限定されるものではなく、請求項記載の範囲内において種々の変更が可能である。
【００６３】
たとえば、上述の説明では、前面板を上前面板３と下前面板４とに分けているが、前面板が一枚の板で構成されていてもよい。
また、上吸気口８と下吸気口９とが連続する構成であってもよい。
また、空気清浄機１内で使用されるフィルタは、上下で別々に構成されるものに限らず、上下で共通の構成であってもよい。
【図面の簡単な説明】
【００６４】
【図１】この発明の第１の実施形態にかかる空気清浄機の構成を示す正面図である。
【図２】図１に示す空気清浄機を切断線Ａ−Ａで切断した状態を示す図である。
【図３】空気清浄機の要部の電気的構成を示すブロック図である。
【図４】この発明の第２の実施形態にかかる空気清浄機の構成を示す正面図である。
【図５】この発明の第３の実施形態にかかる空気清浄機の構成を示す正面図である。
【図６】この発明の第４の実施形態にかかる空気清浄機の構成を示す正面図である。
【図７】この発明の第５の実施形態にかかる空気清浄機の構成を示す正面図である。
【符号の説明】
【００６５】
１      空気清浄機
２      ハウジング
６      上排気口
７      下排気口
８      上吸気口
９      下吸気口
１０    第一汚れ検知センサ
１１    第二汚れ検知センサ
１４    細塵フィルタ
１５    脱臭フィルタ
１７    上モータ
１８    ファン
１９    粗ゴミフィルタ
２０    花粉専用フィルタ
２２    下モータ
２３    ファン
２５    上構成ユニット
２６    下構成ユニット
２７    空気清浄機
２８    ガスセンサ
２９    塵埃センサ
３０    空気清浄機
３１    塵埃センサ
３２    空気清浄機
３３    移動物検知センサ
３４    空気清浄機
３５    温度・湿度センサ
【図１】
2006167614.tif 000003
【図２】
2006167614.tif 000004
【図３】
2006167614.tif 000005
【図４】
2006167614.tif 000006
【図５】
2006167614.tif 000007
【図６】
2006167614.tif 000008
【図７】
2006167614.tif 000009